(57)【特許請求の範囲】
【請求項１】
弾性を有する係止線が押し込まれる溝状の嵌め込み部と、該嵌め込み部の両側上端縁に形成される鍔部とを有する長尺状の支持フレームに前記係止線を嵌め込み、該係止線の弾性により農園芸ハウス用フィルムを前記支持フレームの嵌め込み部の壁面へ押圧しつつ固定する係着装置において、該係止線が挿着される可撓性を有する長尺状の袋体の長手方向の両側に沿って前記両鍔部の上部を被覆する被覆部が形成されることを特徴とする農園芸ハウス用フィルムの係着装置。
【請求項２】
袋体が１枚の帯状シートの長手方向の中心に沿って折り曲げら
れ、該折り曲げ接触端部、長手方向の始点側及び終点側の三方を熱シールして形成された長尺状の袋体であり、かつ前記係止線が二本の平行な直線と該直線の間に介在する傾斜線とが連続する台形波形状に折り曲げられた屈曲線条であり、該係止線が前記袋体に遊挿され、該袋体には該係止線の台形波形状の二本の平行な直線によって画定される領域の両側に沿って自由空間が形成され、該自由空間を形成するフィルム部位が両鍔部の上部を被覆する被覆部をなすことを特徴とする請求項１記載の農園芸ハウス用フィルムの係着装置。
【請求項３】
袋体が１枚の帯状シートの長手方向の中心に沿って折り曲げら
れ、該折り曲げ接触端部より内側の部位、長手方向の始点側及び終点側の三方を熱シールして形成された長尺状の袋体であり、かつ前記係止線が二本の平行な直線と該直線の間に介在する傾斜線とが連続する台形波形状に折り曲げられた屈曲線条であり、該係止線を構成する平行な直線の一方が前記折り曲げ接触端部より内側の部位のシール部に接触して設けられており、該袋体には該係止線の台形波形状の平行な直線の他方によって画定される領域の外側に沿って自由空間が形成され、該自由空間を形成するフィルム部位並びに前記折り曲げ接触端部より内側の部位のシール部及びその外側の未シール部が両鍔部の上部を被覆する被覆部をなすことを特徴とする請求項１記載の農園芸ハウス用フィルムの係着装置。
【請求項４】
前記折り曲げ接触端部より内側の部位のシール部の内側に、熱シールによって、係止線の先端が挿着可能な挿通部を設けることを特徴とする請求項３記載の農園芸ハウス用フィルムの係着装置。
【請求項５】
袋体が２枚の同形状の帯状シートの長手方向の両端、長手方向の始点側及び終点側の四方を熱シールして形成された長尺状の袋体であり、かつ前記係止線が二本の平行な直線と該直線の間に介在する傾斜線とが連続する台形波形状に折り曲げられた屈曲線条であり、該係止線が前記袋体に遊挿され、該袋体には該係止線の台形波形状の二本の平行な直線によって画定される領域の両側に沿って自由空間が形成され、該自由空間を形成するフィルム部位が両鍔部の上部を被覆する被覆部をなすことを特徴とする請求項１記載の農園芸ハウス用フィルムの係着装置。
【請求項６】
袋体が２枚の同形状の帯状シートの長手方向の両端より内側の部位、長手方向の始点側及び終点側の四方を熱シールして形成された長尺状の袋体であり、かつ前記係止線が二本の平行な直線と該直線の間に介在する傾斜線とが連続する台形波形状に折り曲げられた屈曲線条であり、該係止線を構成する平行な直線の各々が前記帯状シートの長手方向の両端より内側の部位の両シール部に接触して設けられており、該袋体の該両シール部及びその外側の未シール部が両鍔部の上部を被覆する被覆部をなすことを特徴とする請求項１記載の農園芸ハウス用フィルムの係着装置。
【請求項７】
前記被覆部の少なくとも一面が遮光性を有する色で着色されていることを特徴とする請求項１、２、３、４、５又は６記載の農園芸ハウス用フィルムの係着装置。
【請求項８】
前記袋体の長手方向の始点側及び又は終点側に内部凝縮水を排出する水抜孔を有することを特徴とする請求項１、２、３、４、５、６又は７記載の農園芸ハウス用フィルムの係着装置。
【請求項９】
前記袋体内の係止線の先端に握持部を設けることを特徴とする請求項１、２、３、４、５、６、７又は８記載の農園芸ハウス用フィルムの係着装置。
【発明の詳細な説明】
【０００１】
【発明の属する技術分野】
本発明は農園芸ハウス用フィルムの係着装置の改良に関し、詳しくは、農園芸ハウス用フィルムの熱変性や劣化破損等の防止可能な農園芸ハウス用フィルムの係着装置に関するものである。
【０００２】
【従来の技術】
従来、農園芸ハウス用フィルムの係着装置に関する技術としては、実公昭５３−３４２７５号、特開昭５９−１１３９４７号に記載のものが知られている。
【０００３】
実公昭５３−３４２７５号には、係止線を袋体に挿入して用いる技術が開示され、また特開昭５９−１１３９４７号には、係止線周辺に合成樹脂の被覆層を形成してなる技術が開示されている。
【０００４】
【発明が解決しようとする課題】
しかしながら、いずれも支持フレームの嵌め込み部の両側上端縁付近を覆う農園芸ハウス用フィルムの主に支持フレーム部が、太陽熱により昇温するため、熱変性（焼き付き）や、劣化破損し易いという問題があった。
【０００５】
そこで、本発明の課題は農園芸ハウス用フィルムの熱変性や劣化破損等の防止可能な農園芸ハウス用フィルムの係着装置を提供することにある。
【０００６】
【課題を解決するための手段】
上記課題を解決する本発明の農園芸ハウス用フィルムの係着装置は、弾性を有する係止線が押し込まれる溝状の嵌め込み部と、該嵌め込み部の両側上端縁に形成される鍔部とを有する長尺状の支持フレームに前記係止線を嵌め込み、該係止線の弾性により農園芸ハウス用フィルムを前記支持フレームの嵌め込み部の壁面へ押圧しつつ固定する係着装置において、該係止線が挿着される可撓性を有する長尺状の袋体の長手方向の両側に沿って前記両鍔部の上部を被覆する被覆部が形成されることを特徴とする。
【０００７】
本発明の好ましい態様としては、袋体が１枚の帯状シートの長手方向の中心に沿って折り曲げられ、該折り曲げ接触端部、長手方向の始点側及び終点側の三方を熱シールして形成された長尺状の袋体であり、かつ前記係止線が二本の平行な直線と該直線の間に介在する傾斜線とが連続する台形波形状に折り曲げられた屈曲線条であり、該係止線が前記袋体に遊挿され、該袋体には該係止線の台形波形状の二本の平行な直線によって画定される領域の両側に沿って自由空間が形成され、該自由空間を形成するフィルム部位が両鍔部の上部を被覆する被覆部をなすことである。
【０００８】
他の好ましい態様としては、袋体が１枚の帯状シートの長手方向の中心に沿って折り曲げられ、該折り曲げ接触端部より内側の部位、長手方向の始点側及び終点側の三方を熱シールして形成された長尺状の袋体であり、かつ前記係止線が二本の平行な直線と該直線の間に介在する傾斜線とが連続する台形波形状に折り曲げられた屈曲線条であり、該係止線を構成する平行な直線の一方が前記折り曲げ接触端部より内側の部位のシール部に接触して設けられており、該袋体には該係止線の台形波形状の平行な直線の他方によって画定される領域の外側に沿って自由空間が形成され、該自由空間を形成するフィルム部位並びに前記折り曲げ接触端部より内側の部位のシール部及びその外側の未シール部が両鍔部の上部を被覆する被覆部をなすことであり、より好ましい態様としては、前記折り曲げ接触端部より内側の部位のシール部の内側に、熱シールによって、係止線の先端が挿着可能な挿通部を設けることである。
【０００９】
また他の好ましい態様としては、袋体が２枚の同形状の帯状シートの長手方向の両端、長手方向の始点側及び終点側の四方を熱シールして形成された長尺状の袋体であり、かつ前記係止線が二本の平行な直線と該直線の間に介在する傾斜線とが連続する台形波形状に折り曲げられた屈曲線条であり、該係止線が前記袋体に遊挿され、該袋体には該係止線の台形波形状の二本の平行な直線によって画定される領域の両側に沿って自由空間が形成され、該自由空間を形成するフィルム部位が両鍔部の上部を被覆する被覆部をなすことである。
【００１０】
更に他の好ましい態様としては、袋体が２枚の同形状の帯状シートの長手方向の両端より内側の部位、長手方向の始点側及び終点側の四方を熱シールして形成された長尺状の袋体であり、かつ前記係止線が二本の平行な直線と該直線の間に介在する傾斜線とが連続する台形波形状に折り曲げられた屈曲線条であり、該係止線を構成する平行な直線の各々が前記帯状シートの長手方向の両端より内側の部位の両シール部に接触して設けられており、該袋体の該両シール部及びその外側の未シール部が両鍔部の上部を被覆する被覆部をなすことである。
【００１１】
本発明においては、前記被覆部の少なくとも一面が遮光性を有する色で着色されていることが好ましく、また前記袋体の長手方向の始点側及び又は終点側に内部凝縮水を排出する水抜孔を有することも好ましく、更に前記袋体内の係止線の先端に握持部を設けることも好ましい。
【００１２】
【発明の実施の形態】
以下、本発明の実施の形態について、図面に基づき説明する。かかる実施の形態によって本発明が限定されることはない。
【００１３】
図１は本発明に好ましく用いられる係止線及び袋体の一例を示す斜視図であ
る。図１において、１は弾性を有する係止線であり、係止線１はステンレス鋼線あるいはこれに焼付塗装を施した鋼線等の防錆力の強い金属線で形成することができる。係止線１としては、図示のような、二本の平行な直線１ａ、１ｂと該直線の間に介在する傾斜線１ｃとが連続する台形波形状に折り曲げられた屈曲線条で弾性力の強いものが好ましく用いられる。
【００１４】
２は前記係止線１を挿着する可撓性を有する長尺状の袋体であり、該長尺状の袋体２には、長手方向の両側に沿って後述する両鍔部の上部を被覆する被覆部３が形成される。
【００１５】
図１に示す袋体２は、１枚の帯状シートの長手方向の中心に沿って折り曲げられ、該折り曲げ接触端部、長手方向の始点側及び終点側の三方を熱シールして形成される。４ａは折り曲げ接触端部に形成されるシール部、４ｂは長手方向の始点側に形成されるシール部である。長手方向の終点側に形成されるシール部は図示されていない。
【００１６】
係止線１は袋体２に遊挿され、該袋体２には該係止線１の台形波形状の二本の平行な直線１ａ、１ｂによって画定される領域の両側に沿って自由空間３ａが形成され、該自由空間３ａを形成するフィルム部位が後述する両鍔部の上部を被覆する被覆部３をなす。
【００１７】
袋体２の形態としては図２に示す態様も好ましい。同図に示す例は、１枚の帯状シートの長手方向の中心に沿って折り曲げられ、該折り曲げ接触端部より内側の部位、長手方向の始点側及び終点側の三方を熱シールして長尺状の袋体２を形成した例である。図２において、４ａは折り曲げ接触端部より内側の部位に形成されるシール部であり、４ｂは長手方向の始点側に形成されるシール部である。なお終点側に形成されるシール部は図示されていない。
【００１８】
図２に示す態様では、係止線１を構成する平行な直線の一方１ａは前記シール部４ａに接触して設けられいる。自由空間３ａは直線の他方１ｂによって画定される領域の外側に沿って形成される。また被覆部３は上記の自由空間３ａを形成するフィルム部位、前記シール部４ａ及びその外側の未シール部４ｃによって構成される。
【００１９】
図２において、５は前記シール部４ａの内側に設けられた係止線１の先端が挿着可能な挿通部である。挿通部５は熱シール６によって形成できる。かかる挿通部５は特に袋体２の長手方向の始点側の要所に設けられるのが好ましく、該挿通部５の存在によって係止線１の挿着位置を安定化させることができる。
【００２０】
袋体２の形態としては図３に示す態様も好ましい。同図に示す例は、２枚の同形状の帯状シートの長手方向の両端、長手方向の始点側及び終点側の四方を熱シールして長尺状の袋体２を形成した例である。図３において、４ａ、４ａは長手方向の両端に形成されるシール部であり、４ｂは長手方向の始点側に形成されるシール部である。なお終点側に形成されるシール部は図示されていない。
【００２１】
自由空間３ａ、３ａは係止線１の台形波形状の二本の平行な直線１ａ、１ｂによって画定される領域の両側に形成され、該自由空間３ａを形成するフィルム部位が被覆部３をなす。自由空間３ａ、３ａの存在によって、係止線１を袋体２内に挿入する際、または抜き出す時には、つかえることなく、簡単に挿脱できる。
【００２２】
上記の四方熱シールは、図４の様にすることもできる。両シール部４ａ、４ａを帯状シートの長手方向の両端より内側に各々形成して、係止線１の直線１ａ、１ｂを両シール部４ａ、４ａに接触して設ける。被覆部３は袋体２の該両シール部４ａ、４ａ及びその外側の未シール部４ｃ、４ｃによって構成される。
【００２３】
なお図４に示す態様において、両シール部４ａ、４ａの内側のいずれか一方
に、熱シールによって係止線の先端を挿着可能な挿通部（図示せず）を設けることができる。
【００２４】
本発明においては、前記被覆部３は遮光性を有する色で着色されていることが好ましい。遮光性を有する色としては、例えば、白、シルバー等が挙げられる。また、袋体２全体を遮光性を有する色で着色してもよいし、あるいは白と黒の２層構造のような反射遮光フィルム等で袋体２を構成することも可能である。
【００２５】
本発明において、袋体２の素材としては、厚み５０〜２００μｍ程度のポリオレフィン系フィルム（例えばポリエチレン、エチレン酢酸ビニル共重合体等）を用いることが好ましく、農園芸ハウス用フィルム等を製造する際に発生するロスフィルム等を有効利用して用いることも好ましい。またポリオレフィン系フィルムに安定剤を配合したフィルムが用いられると、袋体として用いる際に劣化破損しないので、例えば台風時や夏場の高温時に一時的に農園芸ハウスフィルムを撤去する際に、簡単に支持フレームから係止線を取り外すことができ好ましい。
【００２６】
次に、図２に示す袋体を支持フレームに係着する手段について図５及び図６に基づいて説明する。図５は係着装置の使用例を示す分解斜視図、図６は袋体に挿着された係止線を支持フレームの嵌め込み部に嵌合した状態を示す要部断面図である。
【００２７】
同図において、７は長尺状の支持フレームであり、該支持フレーム７は両側に溝状の嵌め込み部８を有し、該支持フレーム７の両側上端縁には鍔部９ａ、９ｂが形成されている。支持フレーム７は公知のものが用いられる。
【００２８】
支持フレーム７の嵌め込み部８に、袋体２に挿入された係止線１を嵌め込む
と、係止線１の弾性により、農園芸ハウス用フィルム１０は嵌め込み部８の壁面へ押圧されて固定される。
【００２９】
係止線１の台形波形の振幅（図１において、係止線１の台形波形状の二本の平行な直線１ａ、１ｂによって画定される領域）は嵌め込み部８の内側８ａの幅より数ｍｍ程度大きく形成され、嵌め込み部８内で弾性力が機能するようにする。
袋体２の長さは係止線１の長さより２０〜３０ｃｍ長くして、係止線１の先に把持部１１を設けることも好ましい。把持部１１の存在によって、係着後に袋体２を取り外すことが容易になる。
【００３０】
図６に示すように、上記の係着によって、支持フレーム７の両側上端縁に形成される鍔部９ａ、９ｂ（図６では９ｂは示されていない）の上部を被覆部３が被覆する。従って、鍔部９ａの上部のフィルム１０は太陽光から保護され、フィルムの劣化破損や熱変性（焼き付き）を防止する。
【００３１】
被覆部３が前述のように遮光性を有する色で着色される場合や、袋体２全体が遮光性を有する色で着色されている場合には、より太陽光を遮断でき、本発明の課題を解決する上では好ましいことである。
【００３２】
本発明においては、袋体内に水が外部から入らないようにすることが好ましいが、袋体内の水分が凝縮して発生する凝縮水を排出するための水抜孔（図示せず）を設けることは好ましいことである。水抜孔は袋体の長手方向の始点側及び又は終点側に設けることが好ましく、特に袋体を設置する際に水抜孔が下側になるように、水抜孔の位置は袋体の設置状態によって適宜変化させることが好ましい。
【００３３】
なお上記の実施の形態において、被覆部を形成する際に、袋体の両側に各々遮光フィルムを別途張りつけることもできる。
【００３４】
【発明の効果】
本発明によれば、支持フレームの嵌め込み部の両側上端縁に形成される鍔部の上部に袋体の被覆部が設けられるので、農園芸ハウス用フィルムの熱変性や劣化破損等を防止できる。
【図面の簡単な説明】
【図１】係止線及び袋体の一例を示す斜視図
【図２】係止線及び袋体の他の例を示す斜視図
【図３】係止線及び袋体の他の例を示す斜視図
【図４】係止線及び袋体の他の例を示す斜視図
【図５】係着装置の使用例を示す分解斜視図
【図６】係着装置の嵌合形態の例を示す要部断面図
【符号の説明】
１、１ａ、１ｂ、１ｃ：係止線
２：袋体
３：被覆部
３ａ：自由空間
４ａ、４ｂ：シール部
４ｃ：未シール部
５：挿通部
６：熱シール
７：支持フレーム
８：嵌め込み部
９ａ、９ｂ：鍔部
１０：フィルム
１１：握持部
【図１】
0003629330.tif 000002
【図２】
0003629330.tif 000003
【図３】
0003629330.tif 000004
【図４】
0003629330.tif 000005
【図５】
0003629330.tif 000006
【図６】
0003629330.tif 000007